(57)【要約】【課題】記録メディアの空容量が不足した時にコンテンツが削除され視聴することができなくなる。【解決手段】デジタル信号を記録メディアに記録および再生するデジタル信号記録再生装置において、デジタル信号を圧縮する圧縮部と、圧縮されたデジタル信号を伸長する伸長部と、圧縮されたデジタル信号を前記記録メディアに記録する記録部と、前記記録メディアから圧縮されたデジタル信号を再生する再生部と、前記圧縮部、前記記録部および前記再生部を制御する制御部を備え、前記記録メディアから圧縮された第１のデジタル信号を再生し、前記圧縮部でより高い圧縮率にて再度圧縮し、前記記録メディアに再度記録する第１のモードを有し、前記制御部は、前記第１のモードを指定時間帯内に実行し、完了するようにした。【選択図】図８
2007028237.tif 000002
【特許請求の範囲】
【請求項１】
デジタル信号を記録メディアに記録および再生するデジタル信号記録再生装置において、
デジタル信号を圧縮する圧縮部と、
圧縮されたデジタル信号を伸長する伸長部と、
圧縮されたデジタル信号を前記記録メディアに記録する記録部と、
前記記録メディアから圧縮されたデジタル信号を再生する再生部と、
前記圧縮部、前記記録部および前記再生部を制御する制御部と、
を備え、
前記記録メディアから圧縮された第１のデジタル信号を再生し、前記圧縮部でより高い圧縮率にて再度圧縮し、前記記録メディアに再度記録する第１のモードを有し、
前記制御部は、前記第１のモードを指定時間帯内に実行し、完了することを特徴とするデジタル信号記録再生装置。
【請求項２】
デジタル信号を記録メディアに記録および再生するデジタル信号記録再生装置において、
デジタル信号を圧縮する圧縮部と、
圧縮されたデジタル信号を伸長する第１及び第２の伸長部と、
圧縮されたデジタル信号を前記記録メディアに記録する記録部と、
前記記録メディアから圧縮されたデジタル信号を再生する再生部と、
前記圧縮部、前記記録部および前記再生部を制御する制御部と、
を備え、
前記記録メディアから圧縮された第１及び第２のデジタル信号を再生し、
前記第１のデジタル信号を前記第１の伸張部で伸張した後、
前記圧縮部でより高い圧縮率にて再度圧縮し、
前記記録メディアに再度記録する第１のモードと、
前記第２のデジタル信号を前記第２の伸張部で伸張し出力する第２のモードを有し、
前記制御部は、前記第１のモードと前記第２のモードとを併行に実行することを特徴とするデジタル信号記録再生装置。
【請求項３】
請求項２に記載のデジタル信号記録再生装置において、
前記制御部は、前記第１のモードを指定時間帯内に実行し、完了することを特徴とするデジタル信号記録再生装置。
【請求項４】
請求項１または請求項３に記載のデジタル信号記録再生装置において、
前記第１のモードを処理する時間が、前記指定時間以上要する場合には
前記第１のモードを実行しないことを特徴とするデジタル信号記録再生装置。
【請求項５】
請求項１または請求項３に記載のデジタル信号記録再生装置において、
前記第１のモードを処理する時間が、前記指定時間以上要する場合には
前記記録メディアから再生するデジタル信号を分割し、
前記第１のモードを指定時間内に実行し、完了することを特徴とするデジタル信号記録再生装置。
【請求項６】
請求項１または請求項２に記載のデジタル信号記録再生装置において、
前記制御部は、前記記録メディアに記録された各デジタル信号の管理情報として、第１のモード実行を許可する情報と、許可する時間帯を示す情報と、ビットレートを変換し再度記録する際のビットレート情報とを格納したことを特徴とするデジタル信号記録再生装置。
【請求項７】
請求項１または請求項２に記載のデジタル信号記録再生装置において、
前記第１のモードを実行する指定時間帯を、
該デジタル信号記録再生装置が待機状態である時間帯としたことを特徴とするデジタル信号記録再生装置。
【発明の詳細な説明】
【技術分野】
【０００１】
本発明は、デジタル信号を記録媒体に記録再生するデジタル信号記録再生装置に関し、特に記録媒体上に記録されたデータの残容量の管理方法に関する。
【背景技術】
【０００２】
本技術分野の背景技術として、例えば、特開２０００−２１１３６号公報（特許文献１）がある。該公報には、課題として、「メディアに記録（録画）する情報の重要性、換言すれば保存の優先度に従って、メディアから不要な情報を削除して、新規の情報記録に必要な空容量を確保できるようにして、特に自動録画モードでの情報の不用意な消失を未然に防止することにある。」と記載され、解決手段として、「ＣＰＵ２０は、管理テーブル２１により、メディア１０上に記録（録画）するマルチメディア情報を管理する。この管理テーブル２１には、各情報の重要度を判定するための重要度レベルが含まれている。ＣＰＵ２０は、メディア１０に空容量を確保するために、重要度レベルに基づいてメディア１０からの削除対象の情報を決定する。」と記載されている。
【０００３】
また、他の背景技術として、例えば、特開２００３−２８９４９０号公報（特許文献２）がある。該公報には、課題として「従来、自動的にファイルを削除して記録容量の確保を行うことにより、記録媒体を効率的に使用し、また容量不足による記録の失敗が生じないようにした記録装置がある。しかしながら、ファイル削除は予め用意されたいくつかの方法の中からユーザにより一律に選択並びに設定するものであったため、融通性に欠けるところがあった。」と記載され、解決手段として「放送番組をその記録保持条件にかかるデータと共にＨＤＤ６等に記録し、記録されている記録保持条件にかかるデータをＭＰＵ７にてチェックし、ＨＤＤ６に記録されている放送番組のうち記録保持条件から外れた放送番組を消去するようにした。」と記載されている。
【０００４】
【特許文献１】特開２０００−２１１３６号公報
【特許文献２】特開２００３−２８９４９０号公報
【発明の開示】
【発明が解決しようとする課題】
【０００５】
衛星デジタル放送に加え、地上波デジタル放送も開始され、放送のデジタル化が推進されている。これに対応する記録再生装置として、ハードディスクドライブ装置（以後ＨＤＤと呼ぶ）や光磁気ディスク等を記録メディアとしたレコーダ等が製品化されている。
【０００６】
映像信号、音声信号はＭＰＥＧ（Moving Picture Experts Group）規格などを用いて高能率にデジタル圧縮符号化し記録メディアに記録している。
【０００７】
この記録メディアの容量の管理方法として、記録時に記録メディアの空容量が不十分なとき、記録メディア上に記録された情報をその重要度に基づいて削除し、メディアの空容量を確保し、記録を継続可能とする技術が特許文献１に開示されている。
【０００８】
また、ユーザーにより設定された録画保存期間内の間コンテンツを記録メディアに残しておき、保存期間が超過したものについて、自動もしくは、ユーザーの操作により、コンテンツを削除し記録メディアの空き容量を管理する技術が特許文献２に開示されている。
【０００９】
近年レコーダに用いられる記録メディアは、大容量化されてきてはいるものの、それに伴いデジタル放送のストリームをそのまま記録する需要も増えつつある。その為、記録メディアの空き容量は効率的に整理する必要がある。
【００１０】
上記特許文献１の技術に従いコンテンツの優先順位を下げてしまうと、空容量が不足した時にこのコンテンツは削除され視聴することができなくなる。
【００１１】
また、上記特許文献２に従い、コンテンツの有効期間が超過したものについては、削除する操作となりこのコンテンツを視聴もしくは保存したい場合においては、残容量が不足した場合においては削除するかもしくは他のコンテンツの記録をあきらめる必要が生じる。
【００１２】
本発明は、上記課題を解決し、記録メディアの記録可能容量をより効率的に使用し、使い勝手を向上した記録再生装置を提供することを目的とする。
【課題を解決するための手段】
【００１３】
上記目的は、特許請求の範囲に記載の発明により達成される。
【発明の効果】
【００１４】
本発明によれば、記録したコンテンツを再エンコードもしくはトランスコードする機能を有したデジタル信号記録再生装置が提供され、記録メディアの残容量を効率的に管理できる。
【００１５】
また、再エンコードもしくはトランスコード実行時においても、ユーザーによる操作は可能となり、ユーザーによる操作が完了後に引き続き再エンコードもしくはトランスコードを継続する構成とするため使い勝手が向上する。
【発明を実施するための最良の形態】
【００１６】
以下本発明によるデジタル信号記録再生装置の実施形態について説明する。
【実施例１】
【００１７】
(空き時間に再エンコードをする装置の構成例)
図１は、ハードディスクや光磁気ディスクなどの記録媒体に、コンテンツを記録し、記録したコンテンツを再生して、デコード処理，描画処理部を介して、視聴するデジタル信号記録再生装置１００の一実施例を示すブロック図である。
【００１８】
図中１０１と１０６は入力端子であり、例えばＭＰＥＧ（Moving Picture Experts Group）規格を用いて高能率にデジタル圧縮したデジタル放送等で用いられる例えばＭＰＥＧ２トランスポートストリーム(以降ＭＰＥＧ２−ＴＳとする)を入力する。１０２は切替部であり、該入力端子１０１と後述する圧縮符号化されたデジタル信号を伸張するデコーダ１０７の第２の出力とを切替、ＭＰＥＧ規格等を用いて高能率にデジタル圧縮符号化するエンコーダ１０３に供給する。該エンコーダ１０３の出力と入力端子１０６の片方または、双方の信号を記録再生制御部１０４を介して、例えばＨＤＤなどの記録メディア１０５に記録制御を行う。
【００１９】
該記録再生制御部１０４は、メモリなどを具備し、記録メディア１０５へ記録する信号と記録メディアから再生した信号を時分割処理することにより、記録と再生を連続的に行うことを可能とする。
【００２０】
該記録再生制御部１０４から再生したデジタル信号は、デコーダ１０７に入力される。該デコーダ１０７は少なくとも２つ以上のデジタル信号をデコードするものであり、デコーダを２個に分割した構成でも構わない。該デコーダ１０７により、入力されたデジタル信号をデコードし、例えばビデオ信号については描画処理部１０８において、１画面あるいは２画面に同時描画処理等を施し、外部に出力端子１１１により接続されたディスプレイへ映像信号として出力する。制御部１０９は、切替部，記録，再生など各部の制御内容を司る、例えばマイクロプロセッサなどである。表示部１１０は制御部１０９の制御に対応した処理内容をユーザーに通知するものである。また、表示部１１０は装置外部に接続する構成としてもよい。
（管理情報の構成例）
図２は、記録メディア１０５に記録されたコンテンツの管理情報を示す図であり、記録されたコンテンツごとに記録管理情報２００が２０１，２０２…，２０８と追加される。図３は、管理情報の詳細を示す例であり、記録管理情報２００内には少なくとも、ファイル番号２１１，チャンネル，タイトル名も含むタイトル入力情報２１２，記録日時２１３，記録サイズ２１４，記録モード２１５，記録データの先頭アドレス２１６，サイズ最適化機能の許可を示すフラグ２１７が格納されている。記録メディア残容量最適化機能フラグは、記録開始、終了及び記録中を問わず設定可能とする。記録モードの一例としては、高画質なモードから順にＴＳ，ＸＰ，ＳＰ，ＬＰといった分類とする。図中の管理情報２０３，２０５は記録メディア残容量最適化機能フラグ２１７が設定された例である。従って、高画質モードで記録したコンテンツを、記録メディア１０５の容量節約の為、低画質に変換し記録サイズを元のサイズから圧縮し保存する場合に、このコンテンツの管理情報内の記録メディア残容量最適化機能フラグ２１７をセットする。このセットの入力には、例えばリモコンの専用ボタンを割り当てても良いし、兼用したものとしても構わない。
【００２１】
図４は上記実施例において、ユーザーが再エンコード処理を行うパラメータを設定する際のフローチャートを示す図である。ユーザーにより、該表示部１０９もしくは、該出力端子１１１に接続された表示装置を見ながら、時間帯と変換後の記録モードを設定する構成となっており、図５はその表示例を示す。
【００２２】
まず、ユーザーにより各種設定メニューを選択し（Ｓ１００）、その中の一項目である記録メディア残容量最適化機能を選択すると（Ｓ１０１）、画面には図５（ａ）が表示される。次に、機能の有効／無効項目３０１を有効に選択し（Ｓ１０２）、実行時間３０２を例えば、深夜等の比較的稼働率の低い時間帯に設定し（Ｓ１０３）、変更後の記録モード３０３を設定する（Ｓ１０４）。この一連の項目を設定することにより、記録メディアの容量最適化の必要なパラメータを入力し終えたこととなり設定終了となる。この結果が図５（ｂ）に示すように、容量最適化が有効で且つ、実行時間は２：００〜５：００の間で、変換後はＳＰモードに変換するといった処理となる。ここで記録モードについては、ＳＰとしたが現在の記録モードより一段階低いレートととしても、記録容量の最適化を図ることができる。また、実行時間を時間指定としたが、録画予約が設定されていない時間帯か、もしくは電源スタンバイ時としても、再エンコードが実行でき記録メディアの残容量の最適化が図ることができる。
（制御フローの説明）
図６は、上記実施例において、ユーザーが設定した時間帯に再エンコード処理を行う際のフローチャートの一例である。ここでは、前述の図５に示す設定値に記録メディア残容量最適化機能フラグがセットされたものとして、既知の２：００〜５：００の時間帯に自動で再エンコードを行うものである。
【００２３】
まず、制御部１０９はユーザーにより設定された記録メディア残容量最適化機能フラグに基づき、設定時間になるまでは再エンコード処理は実施しない。設定時間に達すると（Ｓ２０１）現状のデジタル信号記録再生装置１００の動作状態を確認し、再エンコード可能なリソース、具体的にはエンコーダ１０３が使用可能か確認する（Ｓ２０２）。これは、再エンコードはあくまで、補助的機能として用い、ユーザーにより設定された予約録画や再生処理を中断してまでも実施せず、ユーザーによる処理が終了するまで機能しないように動作する（Ｓ２０２）。そして該エンコーダ１０３が未使用になったことを該制御部１０９が判断すると、容量最適化機能が動作を開始する。まず、管理情報２００を読出し（Ｓ２０３）、記録メディア残容量最適化機能フラグが有効なファイル番号を検索し、そのファイル番号に相当するコンテンツのサイズから、再エンコード後のファイルサイズを演算し（Ｓ２０５）、変換後に必要な容量が確保されているか確認する。
次に、再エンコードに要する処理時間を算出し、現在の時刻からユーザーにより設定した時間帯に処理が終了するか否かを判定し、処理不可であれば再エンコード処理に遷移せず終了する（Ｓ２０７）。判定結果が処理時間以内であれば、記録メディア残容量最適化機能フラグに基づき再エンコード処理に遷移する（Ｓ２０８）。記録再生装置１００の主電源がＯＦＦであった場合は、制御部１０９により電源を起動させスタンバイ動作に遷移する（Ｓ２０９）。次にエンコーダ１０３が符号化圧縮するためのレートを変換モード３０３を参照して設定する（Ｓ２１０）。本例では例えばＳＰモードとする。
【００２４】
次に切替部１０２の入力がデコーダ１０７からの信号となるように設定し（Ｓ２１１）、
記録再生制御部１０４に制御部１０９が管理情報２００の記録アドレス２１６とサイズ２１４に格納された先頭アドレスから指定サイズ分の読み出しを開始する（Ｓ２１２）。再生されたコンテンツはデコーダ１０７にて一旦デコードされた後（Ｓ２１３）、切替部１０２を介して、該エンコーダ１０３にて、記録時とは異なるビットレートに圧縮符号化され（Ｓ２１４）、該記録再生制御部１０４にて再度記録メディア１０５に記録される（Ｓ２１５）。該記録メディア１０５からのコンテンツの再生と記録は、時分割で実施され、連続的に行われる。そして、設定サイズ分の再エンコード処理を実施すると（Ｓ２１６）、管理情報を更新し（Ｓ２１７）、制御部１０９により電源をＯＦＦにし処理を終了する。
【００２５】
図７は、本実施例の記録メディア残容量最適化機能を実施前と実施中と実施後のユーザー設定画面の一例を示す図である。容量の最適化を行うコンテンツは表示画面３００中のタイトル３０１が"BBBBB"を示すコンテンツとなる。図(ａ)が実施前を示し、該当コンテンツの記録モード３０３はＴＳモードを示す。図（ｂ）が実施中を示し、表示画面には動作状態を示すステータス３０４の項目が追加されユーザーに対して残容量の整理の為の再エンコード処理が実施中であることを示す"容量整理中"との表記が追加される。図（ｃ）が実施後の表示画面を示し、記録モード３０３が実行前のＴＳからＳＰに変更されており、それに伴い記録メディアの残容量も増加する。ここで、再エンコード実行中に、ユーザーによる記録もしくは予約録画が開始された場合において、図７（ｂ）に示す状態で、途中まで再エンコードしたファイル（記録モードがＬＰを示すファイル）と元ファイルの残り分（ＴＳモードを示すファイル）にファイルを分割し、再エンコード処理を一時中断し、ユーザーによる操作が終了した後に残り分について再エンコードを実行する方法をとると、再エンコード処理中にユーザーの操作が中断されることがないため使い勝手が向上する。
【実施例２】
【００２６】
(空き時間にトランスコード（デコーダを2個搭載）をする装置の構成例)
図８は、実施例１の記録再生装置に第２のデコーダを加え、視聴しつつ且つ再エンコードもしくは、記録メディアに記録した圧縮フォーマットとは異なる種類の圧縮フォーマットに変換し再度記録メディアに記録しなおす一実施例を示すブロック図である。
同一機能を有する部分は同一符号とし、説明は省略する。
【００２７】
ＨＤＤや光磁気ディスクなどの記録メディアに、コンテンツを記録し、記録したコンテンツを再生し、且つデコードして描画処理部を介して、視聴するデジタル信号記録再生装置１００を構成する。記録再生制御部１０４から再生したコンテンツは、第２のデコーダ１１２に入力し、切替部１０２の入力端子１０１と切り替える。この構成により、記録メディアから時分割に２種類のコンテンツを再生し、一方は第一のデコーダ１０７に供給し、他方は第２のデコーダ１１２に供給することで、ユーザーが選択したコンテンツを描画処理部１０８を介して視聴することができ、且つ同時に記録メディアの残容量の最適化を実施することが可能となり記録再生装置１００の使い勝手が向上する。
【００２８】
また、記録メディア１０５に記録した圧縮フォーマットをデコーダ１１２でデコードした後、エンコーダ１０３において、該デコーダ１１２とは異なる圧縮フォーマットで圧縮しなおし、記録することが可能となる。該エンコーダの圧縮フォーマットが例えば、デコーダ１１２で用いた圧縮フォーマットより高能率に符号化でき、且つ圧縮によるデジタルコンテンツの劣化も少ないものを用いることにより更なる残容量の最適化が実行できる。
（制御フローの説明）
図９は、上記第２の実施例において、ユーザーが設定した時間帯に再エンコードもしくは記録時と異なる圧縮フォーマットに再圧縮符号化処理を行う際のフローチャートを示す図である。ここでは、前述の図６の制御方法と異なる点は、記録再生装置１００の動作状態を確認した時点で（Ｓ２０２）、ユーザーによる別コンテンツの再生を許可し（Ｓ２２０）、再生可能（Ｓ２２１）としたことにある。
本処理により、ユーザーが記録メディアに記録したコンテンツを視聴しつつ、視聴するコンテンツとは別のコンテンツに対して最適化処理を実施できる。
【実施例３】
【００２９】
（具体的なレコーダの構成例）
図１０は実施例２の発明をアナログ放送，デジタル放送受信レコーダに適応した一実施例である。
【００３０】
本実施例は、受信したアナログ放送とデジタル放送を例えばＨＤＤへ記録し、プラズマディスプレイや液晶ディスプレイに接続し視聴するものである。その構成は、アナログ放送を受信し、例えばＮＴＳＣ（National  Television  System  Committee）方式の映像信号を抽出し、受信した映像信号から伝送途中に反射等により発生するゴーストを除去し、映像信号のフレーム相関を利用し輝度信号と色信号に分離した後、ノイズを除去し、さらに輝度，色信号に分離された映像信号を例えば、ベースバンドの映像信号にデコードし、ベースバンドのビデオ信号として出力するアナログ放送受信部５０１の出力がデジタル信号記録再生装置１００の入力端子１０１に接続される。
【００３１】
また、入力端子１０６にはデジタル放送を受信するデジタル放送受信部５０２の出力が接続される。デジタル放送受信部５０２からは、デジタル映像信号が画像／音声のストリームをＭＰＥＧ２方式によりコード化したエレメンタリーストリーム（Elementary Stream）を、共通のタイムベースごとにＰＥＳ（Packetized Elementary Stream）パケットに取り込み、該ＰＥＳパケットを複数結合したＭＰＥＧ２−ＴＳで供給される。
【００３２】
ＭＰＥＧ２−ＴＳを記録メディア１０５にそのまま記録することでハイビジョン放送などの高精細（High Definition,以後ＨＤとする）方式のコンテンツを劣化させることなく、高画質なまま保存することができる。しかしながら、ＨＤ放送はその記録サイズも大きくなる。HDコンテンツを例えば光磁気ディスクに記録しようとすると光磁気ディスクの記録容量の制限もあり、ＴＳのまま記録できないこともある。
また、ＨＤで記録したがユーザーにとって該コンテンツの優先順位が変更され、削除しないまでも保存しておくといったケースが考えられる。
【００３３】
この場合に、記録メディア残容量最適化機能を有効に設定することにより、ユーザーの設定時間に合わせて、例えばＴＳモードからＳＰモードに再エンコードもしくはトランスコードすることにより、記録メディア１０５の残容量は拡大され、且つコンテンツも削除することなく、記録メディア１０５に存在し、ユーザーの所望な動作を実行できる。
【図面の簡単な説明】
【００３４】
【図１】本発明の第１の実施形態に係るデジタル信号記録再生装置の一実施形態を示すブロック図。
【図２】本発明の第１の実施形態に係るデジタル信号記録再生装置の記録管理情報の一実施形態を示す図。
【図３】本発明の第１の実施形態に係るデジタル信号記録再生装置の記録管理情報の一実施形態を示す図。
【図４】本発明の第１の実施形態に係るデジタル信号記録再生装置の制御方式を示すフロー図。
【図５】本発明の第１の実施形態に係るデジタル信号記録再生装置の制御方式を示すフロー図。
【図６】本発明の第１の実施形態に係るデジタル信号記録再生装置の制御方式を示すフロー図。
【図７】本発明の第１の実施形態に係るデジタル信号記録再生装置の設定画面。
【図８】本発明の第２の実施形態に係るデジタル信号記録再生装置の一実施形態を示すブロック図。
【図９】本発明の第２の実施形態に係るデジタル信号記録再生装置の制御方式を示すフロー図。
【図１０】本発明の第３の実施形態に係るデジタル信号記録再生装置の一実施形態を示すブロック図。
【符号の説明】
【００３５】
１００…記録再生装置，
１０１、１０６…入力端子，
１０２…切替部，
１０３…エンコーダ，
１０４…記録再生装置，
１０５…記録メディア，
１０７、１１２…デコーダ，
１０８…描画処理部，
１０９…制御信号，
１１０…表示部，
１１１…出力端子，
２００、２０１、２０２、２０３、２０４、２０５、２０６、２０７、２０８…記録管理情報，
２１１…ファイル番号，
２１２…タイトル入力情報，
２１３…記録日時情報，
２１４…記録サイズ情報，
２１５…記録モード情報，
２１６…先頭アドレス情報，
２１７…記録メディア残容量最適化機能フラグ，
３００…設定画面，
３０１…容量最適化設定情報，
３０２…容量最適化実施時間情報，
３０３…容量最適化変換モード情報，
３０４…動作状態情報，
５０１…アナログ放送受信部，
５０２…デジタル放送受信部
【図１】
2007028237.tif 000003
【図２】
2007028237.tif 000004
【図３】
2007028237.tif 000005
【図４】
2007028237.tif 000006
【図５】
2007028237.tif 000007
【図６】
2007028237.tif 000008
【図７】
2007028237.tif 000009
【図８】
2007028237.tif 000010
【図９】
2007028237.tif 000011
【図１０】
2007028237.tif 000012